(57)【要約】【課題】マイクエレメントの集音性能が低下するのを防止することができる電子機器を提供する。【解決手段】カメラ１０は、マイクユニット１９と、該マイクユニット１９を覆うフロントカバー２０とを備え、マイクユニット１９は、マイクエレメント２２と、マイクエレメント２２に装着されてフロントカバー２０に当接するマイクブッシュ２４とを有し、フロントカバー２０には当該フロントカバー２０を貫通するマイク孔２１が穿設され、マイクエレメント２２はマイク孔２１から進入する音声を集音し、フロントカバー２０におけるマイク孔２１の周辺は弾性材２０ａで形成され、マイクブッシュ２４は弾性材２０ａに当接する。【選択図】図７
2017204668.tif 000002
【特許請求の範囲】
【請求項１】
マイクエレメントと、該マイクエレメントを覆う外装部品と、前記マイクエレメントに装着されて前記外装部品に当接する当接部材とを備え、前記外装部品には当該外装部品を貫通する孔が穿設され、前記マイクエレメントは前記孔から進入する音声を集音する電子機器であって、
前記外装部品における前記孔の周辺は弾性材で形成され、前記当接部材は前記弾性材に当接することを特徴とする電子機器。
【請求項２】
前記弾性材が前記孔の全壁部を構成することを特徴とする請求項１記載の電子機器。
【請求項３】
前記当接部材は他の弾性材からなり、前記弾性材の硬度は前記他の弾性材の硬度よりも高いことを特徴とする請求項１又は２記載の電子機器。
【請求項４】
前記孔の周辺を形成する前記弾性材の幅は、前記当接部材の幅よりも小さいことを特徴とする請求項１乃至３のいずれか１項に記載の電子機器。
【請求項５】
前記孔の周辺を形成する前記弾性材は、前記外装部品を構成する他の部材よりも前記当接部材に向けて突出することを特徴とする請求項１乃至４のいずれか１項に記載の電子機器。
【請求項６】
前記当接部材は前記弾性材へ向けて突出する凸部を有することを特徴とする請求項１乃至５のいずれか１項に記載の電子機器。
【請求項７】
カメラ又はスマートフォンのいずれかであることを特徴とする請求項１乃至６のいずれか１項に記載の電子機器。
【発明の詳細な説明】
【技術分野】
【０００１】
本発明は、電子機器に関し、特に、マイクユニットを内蔵する電子機器に関する。
【背景技術】
【０００２】
電子機器としてのカメラはマイクユニットを内蔵し、動画を撮影する際に音声も録音する。このとき、マイクユニットのマイクエレメントに接続されるリード線が振動すると、該振動がマイクエレメントに伝達されて振動が雑音として録音されることがある。これに対応して、本出願人は、リード線をマイクエレメントが挿入されるマイクブッシュの折り畳み可能な舌片部で押圧する技術を提案している（例えば、特許文献１参照。）。これにより、リード線が振動するのを防止し、振動が雑音として録音されるのを防止する。
【０００３】
カメラでは、該カメラのボタンの動作音、内蔵されるモータやギアの動作音、カメラのレバー操作中におけるレバーの操作端への突き当て音や、レバーをリリースした際の中立位置への復帰音等（以下、「内部騒音」という。）が発生する。この内部騒音はカメラの外装部品であるフロントカバーやリアカバーを振動させる。
【０００４】
ところで、カメラでは外部の音声をできるだけ明りょうに録音するために、マイクユニットはフロントカバーに穿設されたマイク孔と正対するように配置され、マイクブッシュはマイク孔から進入した音声を漏らさないようにフロントカバーに当接する。
【先行技術文献】
【特許文献】
【０００５】
【特許文献１】特開２０１３−１６２３００号公報
【発明の概要】
【発明が解決しようとする課題】
【０００６】
しかしながら、フロントカバーは高強度プラスチックからなるため、内部騒音に起因する振動が減衰せず、そのままマイクブッシュへ伝達される。マイクブッシュへ伝達された振動はマイクエレメントにより、雑音として録音され、結果として、マイクユニットの集音性能が低下する。
【０００７】
本発明の目的は、マイクエレメントの集音性能が低下するのを防止することができる電子機器を提供することにある。
【課題を解決するための手段】
【０００８】
上記目的を達成するために、本発明の電子機器は、マイクエレメントと、該マイクエレメントを覆う外装部品と、前記マイクエレメントに装着されて前記外装部品に当接する当接部材とを備え、前記外装部品には当該外装部品を貫通する孔が穿設され、前記マイクエレメントは前記孔から進入する音声を集音する電子機器であって、前記外装部品における前記孔の周辺は弾性材で形成され、前記当接部材は前記弾性材に当接することを特徴とする。
【発明の効果】
【０００９】
本発明によれば、マイクエレメントの集音性能が低下するのを防止することができる。
【図面の簡単な説明】
【００１０】
【図１】本発明の実施の形態に係る電子機器としてのカメラのフロント側の外観を主に示す正面斜視図である。
【図２】本実施の形態に係る電子機器としてのカメラのリア側の外観を主に示す背面斜視図である。
【図３】図１のカメラにおいて外装部品としてのフロントカバーを外したときの形態を説明するための正面斜視図である。
【図４】図１のカメラにおいてフロントカバーを外したときの形態を説明するための背面斜視図である。
【図５】図３におけるマイクユニットの構成を概略的に示す正面斜視図である。
【図６】図３におけるマイクユニットを分解したときの形態を説明するための分解正面斜視図である。
【図７】図１のカメラにおけるマイクユニットの周辺の構造を概略的に示す水平断面図である。
【図８】本発明が適用される電子機器としてのスマートフォンの構成を概略的に示す分解斜視図である。
【図９】図８のスマートフォンにおけるマイクユニットの周辺の構造を概略的に示す断面図である。
【発明を実施するための形態】
【００１１】
以下、本発明の実施の形態について図面を参照しながら詳細に説明する。本実施の形態では電子機器としてのカメラに本発明を適用した場合について説明する。しかしながら、本実施の形態に記載されている構成はあくまで例示に過ぎず、本発明の範囲は本実施の形態に記載されている構成によって限定されることはない。
【００１２】
図１は、本実施の形態に係る電子機器としてのカメラのフロント側の外観を主に示す正面斜視図であり、図２は、本実施の形態に係る電子機器としてのカメラのリア側の外観を主に示す背面斜視図である。また、図３は、図１のカメラにおいて外装部品としてのフロントカバーを外したときの形態を説明するための正面斜視図であり、図４は、図１のカメラにおいてフロントカバーを外したときの形態を説明するための背面斜視図である。
【００１３】
図１乃至図４において、カメラ１０は略直方体状を呈する。カメラ１０は、フロント側に配置されるレンズユニット１１と、上面に配置されるシャッターボタン１２、機能選択ダイヤル１３、ズーミングレバー１４、ストロボユニット１５及び電源ボタン１６とを備える。また、カメラ１０は、リア側に配置されるディスプレイ１７及び録画ボタン１８を備える。撮影者が電源ボタン１６を押下すると、レンズユニット１１によって取り込まれた画像が撮影に関する各種情報とともにディスプレイ１７に表示される。撮影者がシャッターボタン１２を押下すると、被写体を含む画像が取得される。また、撮影者が録画ボタン１８を押下すると、被写体の動画が取得される。動画の取得時に音声も同時に録音するために、カメラ１０はマイクユニット１９を内蔵する。マイクユニット１９はフロントカバー２０によって覆われ、フロントカバー２０におけるレンズユニット１１の近傍に穿設されてフロントカバー２０を貫通するマイク孔２１に対向するように配置される。マイク孔２１はレンズユニット１１の光軸と平行に穿設される。
【００１４】
図５は、図３におけるマイクユニットの構成を概略的に示す正面斜視図であり、図６は、図３におけるマイクユニットを分解したときの形態を説明するための分解正面斜視図である。
【００１５】
図５及び図６において、マイクユニット１９は、略円板状のマイクエレメント２２と、リード線２３と、略円筒状の弾性材、例えば、シリコンゴム（他の弾性材）からなるマイクブッシュ２４（当接部材）とを有する。また、マイクユニット１９は、マイクエレメント２２、マイクエレメント２２に接続されるリード線２３及びマイクブッシュ２４を保持するマイクホルダ２５を有する。マイクブッシュ２４は内部にマイクエレメント２２を収容するようにマイクエレメント２２へ装着される。マイクホルダ２５は側面の一部にスリット２５ｄを有する略円筒状の本体２５ａを有し、該本体２５ａの内部にマイクエレメント２２へ装着されたマイクブッシュ２４を収容する。また、マイクホルダ２５は本体２５ａのスリット２５ｄから側方へ突出する舌片部２５ｂと、舌片部２５ｂに対向するように配置された複数のアーム部２５ｃとを有する。本体２５ａの内部にマイクブッシュ２４が収容される際、リード線２３が舌片部２５ｂ及び複数のアーム部２５ｃの間に引き回される。マイクユニット１９では、舌片部２５ｂ及び各アーム部２５ｃの間の間隔がリード線２３の太さよりも小さく設定されるため、リード線２３は各アーム部２５ｃによって舌片部２５ｂへ押圧される。これにより、リード線２３が振動するのを防止することができる。
【００１６】
マイクブッシュ２４の端部２４ａは閉塞され、一部が開口されてブッシュ孔２４ｂを形成する。また、マイクブッシュ２４の端部２４ａには、ブッシュ孔２４ｂを囲むように配置されてフロント側、すなわち、フロントカバー２０へ向けて突出するリブ２４ｃ（凸部）が形成される。マイクエレメント２２は集音機能を有し、ブッシュ孔２４ｂを介してマイクブッシュ２４の内部へ進入する音声を録音する。リード線２３は、カメラ１０のメイン基板（図示しない）に接続される。マイクエレメント２２が録音した音声は、音声信号としてメイン基板に備えられた演算処理ユニット（図示しない）によって保存可能な形式に変換され、メモリ（図示しない）に保存される。
【００１７】
図７は、図１のカメラにおけるマイクユニットの周辺の構造を概略的に示す水平断面図である。図７において、左方はカメラ１０のフロント側に対応し、右方はカメラ１０のリア側に対応する。
【００１８】
図７において、フロントカバー２０は２色成形で構成され、ポリエステル系熱可塑性エラストマからなる弾性材２０ａと、高強度プラスチックからなる樹脂材２０ｂとによって構成される。デザイン性の向上や保持性の向上の観点からフロントカバー２０の外側は主に弾性材２０ａで構成され、カメラ１０の剛性の確保の観点からフロントカバー２０の内側は主に樹脂材２０ｂ（他の部材）で構成される。フロントカバー２０においてマイク孔２１の周辺は、該マイク孔２１の全壁部を含んで弾性材２０ａによって形成される。
【００１９】
カメラ１０では、上述したように、マイクユニット１９のマイクブッシュ２４はリブ２４ｃを有するが、カメラ１０にフロントカバー２０が装着された際、リブ２４ｃはマイク孔２１の周辺を形成する弾性材２０ａと当接するように突出量が設定される。具体的には、リブ２４ｃが弾性材２０ａに当接した際、リブ２４ｃが約１０％程度圧縮するように、リブ２４ｃの突出量が設定される。また、樹脂材２０ｂにおけるマイクユニット１９と対向する部分はフロント側に凹み、相対的にマイク孔２１の周辺を形成する弾性材２０ａは、樹脂材２０ｂよりもマイクブッシュ２４に向けて突出する。さらに、マイク孔２１の周辺を形成する弾性材２０ａの幅Ｖは、マイクブッシュ２４の幅Ｗよりも小さく設定される。また、弾性材２０ａの材料硬度はマイクブッシュ２４の材料硬度よりも高くなるように設定される。例えば、マイクブッシュ２４の材料硬度は６０以下が望ましく、弾性材２０ａの材料硬度は７０以上が望ましい。したがって、リブ２４ｃが弾性材２０ａに当接した際、弾性材２０ａではなくマイクブッシュ２４が積極的に圧縮される。弾性材２０ａを構成するポリエステル系熱可塑性エラストマとしては、例えば、東レ・デュポン社製「ハイトレル」（登録商標）、東洋紡績社製「ペルプレン」（登録商標）、三菱化学社製「プリマロイ」（登録商標）が用いられる。また、マイクブッシュ２４はシリコンゴムによって構成されるが、エチレンプロピレンゴム（ＥＰＤＭ）によって構成してもよい。
【００２０】
カメラ１０では、リブ２４ｃが弾性材２０ａに当接した際、マイク孔２１、ブッシュ孔２４ｂを介してマイクブッシュ２４に収容されるマイクエレメント２２までに至る音道が形成される。ここで、リブ２４ｃは圧縮されて弾性材２０ａに密着するため、リブ２４ｃが弾性材２０ａから離間することがなく、リブ２４ｃはブッシュ孔２４ｂを囲む。したがって、ブッシュ孔２４ｂは音道以外に晒されることが無い。また、弾性材２０ａがマイク孔２１の周辺を形成するため、フロントカバー２０における音道の全壁部を弾性材２０ａが構成する。なお、カメラ１０では外部から音道を通過してマイクエレメント２２に到達する音声が録音される。
【００２１】
本実施の形態に係る電子機器としてのカメラ１０によれば、フロントカバー２０におけるマイク孔２１の周辺は弾性材２０ａで形成され、マイクエレメント２２に装着されるマイクブッシュ２４は弾性材２０ａに当接する。ここで、弾性材２０ａは、フロントカバー２０の他の部分を構成する樹脂材２０ｂの高強度プラスチックよりも振動伝達性が低いシリコンゴムで構成される。これにより、カメラ１０の内部騒音に起因してフロントカバー２０が振動しても、弾性材２０ａが振動を減衰し、マイクブッシュ２４へ振動が伝達されない。したがって、マイクエレメント２２は振動を要因とする雑音を録音することがないため、マイクエレメント２２の集音性能が低下するのを防止することができる。また、カメラ１０では、弾性材２０ａがフロントカバー２０における音道の全壁部を構成するため、内部騒音に起因するフロントカバー２０の振動が音道の壁部に生じることが無い。これにより、音道を通過する音声に振動を要因とする雑音が加わるのを防止することができる。
【００２２】
上述したカメラ１０では、マイク孔２１の周辺を形成する弾性材２０ａは、樹脂材２０ｂよりもマイクブッシュ２４に向けて突出するので、マイクブッシュ２４に樹脂材２０ｂが当接するのを防止することができる。その結果、内部騒音に起因して樹脂材２０ｂが振動しても、マイクブッシュ２４へ樹脂材２０ｂの振動が伝達されるのを防止することができる。また、マイクブッシュ２４は弾性材２０ａへ向けて突出するリブ２４ｃを有する。これにより、フロントカバー２０のカメラ１０への取り付け時に各構成部品の公差等によって生じる僅かな弾性材２０ａとマイクブッシュ２４の間の隙間を確実に塞ぐことができる。すなわち、マイクブッシュ２４を弾性材２０ａへ確実に当接させることができる。
【００２３】
上述したカメラ１０では、弾性材２０ａの材料硬度がマイクブッシュ２４の材料硬度よりも高くなるように設定される。したがって、マイクブッシュ２４のリブ２４ｃが弾性材２０ａに当接した際、弾性材２０ａではなくマイクブッシュ２４が積極的に圧縮される。これにより、弾性材２０ａが圧縮されて変形し、弾性材２０ａの一部がフロントカバー２０から飛び出すのを防止することができる。  
【００２４】
また、カメラ１０では、マイク孔２１の周辺を形成する弾性材２０ａの幅Ｖは、マイクブッシュ２４の幅Ｗよりも小さく設定される。したがって、万が一、弾性材２０ａがフロントカバー２０から脱落しても、弾性材２０ａが脱落することによってフロントカバー２０に形成された孔を介してマイクエレメント２２やマイクブッシュ２４がカメラ１０から外れるのを防止することができる。
【００２５】
以上、本発明について実施の形態を用いて説明したが、本発明は上述した実施の形態に限定されるものではない。
【００２６】
例えば、上述した実施の形態では、本発明をカメラ１０に適用した事例について説明したが、本発明は他の電子機器にも適用可能であり、例えば、携帯電話やスマートフォンに適用してもよい。
【００２７】
図８は、本発明が適用される電子機器としてのスマートフォンの構成を概略的に示す分解斜視図であり、図９は、図８のスマートフォンにおけるマイクユニットの周辺の構造を概略的に示す断面図である。図９において、左方はスマートフォン２６のフロント側に対応し、右方はスマートフォン２６のリア側に対応する。
【００２８】
図８において、スマートフォン２６は薄型の略直方体状を呈する。スマートフォン２６はマイクユニット２７を内蔵する。マイクユニット２７は液晶ディスプレイ２８を有するフロントカバー２９によって覆われ、フロントカバー２９における液晶ディスプレイ２８の近傍に穿設されてフロントカバー２９を貫通するマイク孔３０に対向するように配置される。
【００２９】
図９に示すように、マイクユニット２７は、マイクユニット１９と同様の構成を有し、マイクエレメント３１と、マイクエレメント３１に接続されるリード線３２と、略円筒状のシリコンゴムからなるマイクブッシュ３３とを有する。マイクブッシュ３３は内部にマイクエレメント３１を収容するようにマイクエレメント３１へ装着される。マイクユニット２７はスマートフォン２６の内部に配置されるマイクホルダ３４に保持される。マイクホルダ３４は略円筒状の収容部３４ａを有し、該収容部３４ａにマイクユニット２７を収容する。また、マイクブッシュ３３の端部３３ａにはブッシュ孔３３ｂが形成され、さらに、ブッシュ孔３３ｂを囲むように配置されてフロント側、すなわち、フロントカバー２９へ向けて突出するリブ３３ｃが形成される。
【００３０】
スマートフォン２６でも、フロントカバー２９は２色成形で構成され、ポリエステル系熱可塑性エラストマからなる弾性材２９ａと、高強度プラスチックからなる樹脂材２９ｂとによって構成される。フロントカバー２９においてマイク孔３０の周辺は、該マイク孔３０の全壁部を含んで弾性材２９ａによって形成される。また、スマートフォン２６でも、スマートフォン２６にフロントカバー２９が装着された際、リブ３３ｃはマイク孔３０の周辺を形成する弾性材２９ａと当接するように突出量が設定される。特に、マイク孔３０の周辺において、マイク孔３０の周辺を形成する弾性材２９ａは、相対的に樹脂材２９ｂよりもマイクブッシュ３３に向けて突出するように形成される。さらに、マイク孔３０の周辺を形成する弾性材２９ａの幅Ｖ１は、マイクブッシュ３３の幅Ｗ１よりも小さく設定される。また、弾性材２９ａの材料硬度はマイクブッシュ３３の材料硬度よりも高くなるように設定される。スマートフォン２６では、リブ３３ｃが弾性材２９ａに当接した際、マイク孔３０、ブッシュ孔３３ｂを介してマイクブッシュ３３に収容されるマイクエレメント３１までに至る音道が形成される。なお、スマートフォン２６でも外部から音道を通過してマイクエレメント３１に到達する音声が録音される。
【符号の説明】
【００３１】
１０  カメラ
１９，２７  マイクユニット
２０，２９  フロントカバー
２０ａ，２９ａ  弾性材
２０ｂ，２９ｂ  樹脂材
２１，３０  マイク孔
２２，３１  マイクエレメント
２４，３３  マイクブッシュ
２４ｃ，３３ｃ  リブ
２６  スマートフォン
【図１】
2017204668.tif 000003
【図２】
2017204668.tif 000004
【図３】
2017204668.tif 000005
【図４】
2017204668.tif 000006
【図５】
2017204668.tif 000007
【図６】
2017204668.tif 000008
【図７】
2017204668.tif 000009
【図８】
2017204668.tif 000010
【図９】
2017204668.tif 000011